(57)【要約】【課題】短絡用端子の設置状態における接触部の位置のばらつきを抑える。【解決手段】短絡用端子４は、基部４０と、接触部４４と、折り返し部４１と、対向部４２と、張出部４３とを備えている。基部４０は平板状をなしている。接触部４４は、一対の端子金具２と接触して一対の端子金具２を短絡させることが可能となっている。折り返し部４１は、基部４０から折り返すように延出している。対向部４２は、折り返し部４１から接触部４４に向けて延設され、基部４０との間隔が短絡用端子保持室１３の対向する内面同士の間隔よりも小さくなるように形成されている。張出部４３は、対向部４２から接触部４４まで延設され、基部４０との間隔が短絡用端子保持室１３の対向する内面同士の間隔よりも大きくなるように形成されている。【選択図】図９
2019169328.tif 000002
【特許請求の範囲】
【請求項１】
平板状の基部と、
一対の端子金具と接触して前記一対の端子金具を短絡させることが可能な接触部と、
前記基部から折り返すように延出した折り返し部と、
前記折り返し部から前記接触部に向けて延設され、前記基部との間隔が短絡用端子保持室の対向する内面同士の間隔よりも小さくなるように形成された対向部と、
前記対向部から前記接触部まで延設され、前記基部との間隔が前記短絡用端子保持室の対向する内面同士の間隔よりも大きくなるように形成された張出部と、
を備えたことを特徴とする短絡用端子。
【請求項２】
前記張出部は、前記短絡用端子保持室の開口側の端縁に接した状態で、前記短絡用端子保持室に収容されることを特徴とする請求項１に記載の短絡用端子。
【請求項３】
前記張出部は、前記短絡用端子保持室に嵌まり込んだ状態において、前記短絡用端子保持室の内壁面に面接触することを特徴とする請求項１又は請求項２に記載の短絡用端子。
【請求項４】
前記短絡用端子保持室が形成されたハウジングと、
前記短絡用端子保持室に収容される請求項１ないし請求項３のうち何れか一項に記載の短絡用端子と、
を備えたことを特徴とするコネクタ。
【請求項５】
前記短絡用端子保持室の内壁面の開口側の端縁には、開口側に向けて下るように傾斜したガイド面が形成されていることを特徴とする請求項４に記載のコネクタ。
【発明の詳細な説明】
【技術分野】
【０００１】
本発明は短絡用端子およびコネクタに関するものである。
【背景技術】
【０００２】
従来、コネクタを相手側コネクタに嵌め込む前の状態において、コネクタに収容された端子金具を短絡させておくショート端子が知られている。例えば、特許文献１が開示するショート端子は、金属板を折り曲げた形態をなしている。このショート端子は、側面視でＵ字状のＵ字部と、Ｕ字部の一端から延設された接触部と、を備えている。このショート端子は、Ｕ字部がコネクタのショート端子収容室に収まり、接触部がショート端子収容室から突出した状態で設置される。コネクタに収容された端子金具は、接触部と接触して短絡した状態となる。
【先行技術文献】
【特許文献】
【０００３】
【特許文献１】特開２０１５−６０６２８号公報
【発明の概要】
【発明が解決しようとする課題】
【０００４】
このショート端子では、ショート端子収容室に設置した状態において、接触部の位置を安定させることが望まれている。そのためには、ショート端子をショート端子収容室の内寸法よりも少し大きめに形成し、ショート端子を撓ませた状態でショート端子収容室に収容すればよい。ところが、ショート端子収容室が形成されているコネクタは合成樹脂製であるため、ショート端子収容室の内寸法は成形時にばらつきが生じる。ショート端子収容室の内寸法にばらつきがあると、Ｕ字部の撓み度合いにもばらつきが生じるので、接触部の位置が安定しないおそれがある。
【０００５】
本発明は、上記従来の実情に鑑みてなされたものであって、短絡用端子の設置状態における接触部の位置のばらつきを抑えることができる技術の提供を解決すべき課題としている。
【課題を解決するための手段】
【０００６】
本発明の短絡用端子は、
平板状の基部と、
一対の端子金具と接触して前記一対の端子金具を短絡させることが可能な接触部と、
前記基部から折り返すように延出した折り返し部と、
前記折り返し部から前記接触部に向けて延設され、前記基部との間隔が短絡用端子保持室の対向する内面同士の間隔よりも小さくなるように形成された対向部と、
前記対向部から前記接触部まで延設され、前記基部との間隔が前記短絡用端子保持室の対向する内面同士の間隔よりも大きくなるように形成された張出部と、を備えた
ところに特徴を有する。
【０００７】
本発明のコネクタは、
前記短絡用端子保持室が形成されたハウジングと、
前記短絡用端子保持室に収容される前記短絡用端子と、を備えた
ところに特徴を有する。
【発明の効果】
【０００８】
本発明の短絡用端子は、基部と張出部が短絡用端子保持室内に嵌め込まれた後、撓んだ状態で短絡用端子保持室に収容される。短絡用端子保持室の内寸法、即ち基部に対する張出部の対向間隔にばらつきが生じると、折り返し部の撓み量にもばらつきが生じるので、折り返し部を支点として接触部の位置が変動する。このとき、張出部が、接触部の位置を変動させる作用点となり、作用点（張出部）の変位するばらつき量は短絡用端子保持室の内寸法のばらつき量と一定の関係となる。張出部は、折り返し部よりも接触部に近い位置に配されている。したがって、折り返し部を作用点として接触部の位置が変動する短絡用端子と比べると、本発明の短絡用端子は、作用点（張出部）と接触部との距離が短いので、短絡用端子保持室の内寸法のばらつきに伴う接触部の位置のばらつきが小さく抑えられる。
【０００９】
本発明のコネクタは、短絡用端子保持室に収容される短絡用端子の接触部の位置のばらつきを抑えることができる。
【図面の簡単な説明】
【００１０】
【図１】実施例１のコネクタにおいて、短絡用端子が組み付けられた状態を示す側断面図である。
【図２】短絡用端子を斜め前方から見た斜視図である。
【図３】短絡用端子の側面図である。
【図４】短絡用端子の正面図である。
【図５】短絡用端子の背面図である。
【図６】短絡用端子の平面図である。
【図７】短絡用端子の底面図である。
【図８】短絡用端子がハウジング本体に組み付けられる前の状態を示した部分拡大側断面図である。
【図９】短絡用端子がハウジング本体に組み付けられた状態を示した部分拡大側断面図である。
【図１０】短絡用端子及び端子金具がハウジングに組み付けられた状態を示した部分拡大側断面図である。
【図１１】（Ａ）は、従来の第１短絡用端子をハウジング本体に組み付ける前段階の様子を示した概略側断面図であり、（Ｂ）は、従来の第１短絡用端子をハウジング本体に組み付けた状態を示した概略側断面図である。
【図１２】（Ａ）は、従来の第２短絡用端子をハウジング本体に組み付ける前段階の様子を示した概略側断面図であり、（Ｂ）は、従来の第２短絡用端子をハウジング本体に組み付けた状態を示した概略側断面図である。
【発明を実施するための形態】
【００１１】
（１）本発明の短絡用端子における前記張出部は、前記短絡用端子保持室の開口側の端縁に接した状態で、前記短絡用端子保持室に収容されるようにしてもよい。
こうすれば、短絡用端子保持室内において、作用点（張出部）が接触部と最も近い位置に配されるので、短絡用端子保持室の内寸法のばらつきに伴う接触部の位置のばらつきをより効果的に抑えることができる。
【００１２】
（２）本発明の短絡用端子における前記張出部は、前記短絡用端子保持室に嵌まり込んだ状態において、前記短絡用端子保持室の内壁面に面接触するようにしてもよい。
張出部を短絡用端子保持室の内壁面と面接触させることで、短絡用端子の短絡用端子保持室における設置位置を安定させることができる。その結果、短絡用端子保持室に嵌め込まれた短絡用端子が、端子金具の挿入時、あるいは相手側コネクタの嵌合時に位置ずれを起こすことを抑えることができる。
【００１３】
（３）本発明のコネクタにおける前記短絡用端子保持室の内壁面の開口側の端縁には、開口側に向けて下るように傾斜したガイド面が形成されるようにしてもよい。こうすれば、ガイド面によって短絡用端子の張出部を短絡用端子保持室内に誘導することができる。
【００１４】
＜実施例１＞
以下、本発明を具体化した実施例１を図１〜図１２を参照して説明する。なお、以下の説明において、前後方向については、図１，３，６〜１０における左方（不図示の相手側コネクタに対して嵌め込む方向）を前方と定義する。上下方向については、図１，３〜５，８〜１０にあらわれる上下方向をそのまま上下方向と定義する。左右方向については、上下方向及び前後方向と直交する方向を左右方向と定義する。
【００１５】
＜コネクタ１＞
本実施例のコネクタ１は、図１に示すように、複数の端子金具２と、複数の端子金具２を収容可能なハウジング３と、ハウジング３に収容された端子金具２を短絡させる複数の短絡用端子４と、を備えている。端子金具２は、雌端子金具であり、金属板を曲げ加工等することで全体として細長い筒状とされている。端子金具２の後端部には、電線５の端部が圧着により接続されている。
【００１６】
ハウジング３は、合成樹脂製であり、全体として角筒状をなしている。ハウジング３は、ハウジング本体１０と、リテーナ２０と、フロントマスク３０とを備えている。ハウジング本体１０には、下方に開口したリテーナ嵌合溝１１が形成されている。リテーナ２０は、リテーナ嵌合溝１１に嵌め込まれることによってハウジング本体１０に組み付けられる。フロントマスク３０は、前後方向に厚みを有する平板状をなしており、ハウジング本体１０の前端を覆うようにしてハウジング本体１０に組み付けられる。
【００１７】
ハウジング３には、複数の端子金具２を個別に収容可能な複数の端子収容室６と、複数の短絡用端子４を個別に収容可能な複数の短絡用端子収容室７と、が形成されている。
【００１８】
各端子収容室６は、前後方向に細長く形成されている。各端子収容室６内には後方から端子金具２が挿入され、挿入された端子金具２は、各端子収容室６の下側に設けたランス１２により後方への抜けが防止される。端子収容室６に収容された端子金具２は、前方への移動がフロントマスク３０によって規制される。フロントマスク３０には、複数の端子収容室６に個別に対応する複数の相手側端子挿入口３４が形成されている。相手側端子挿入口３４を貫通して端子収容室６内に挿入された相手側端子金具（図示省略）は、端子収容室６に収容された端子金具２と接触して短絡する。各端子収容室６は左右方向に並列するように配されている。
【００１９】
各短絡用端子収容室７は、端子収容室６の上方（ランス１２と反対側）において、端子収容室６に沿うように配されている。左右に隣り合う２つの端子収容室６に対して１つの短絡用端子収容室７が設けられている。各短絡用端子収容室７は、正面視において左右方向に長い扁平形状をなしている。各短絡用端子収容室７の左右両面と上面は、夫々、全領域に亘って閉塞されている。各短絡用端子収容室７の後端の開口部はリテーナ嵌合溝１１に連通している。各短絡用端子収容室７の後端の開口部は、リテーナ嵌合溝１１に嵌め込まれたリテーナ２０によって閉塞されている。フロントマスク３０には、前面に開口した複数の解除リブ挿入口３５が形成されている。各解除リブ挿入口３５は、各短絡用端子収容室７に対応して個別に設けられており、各短絡用端子収容室７に連通している。
【００２０】
相手側端子挿入口３４と解除リブ挿入口３５との間には、前側仕切壁３３が形成されている。短絡用端子収容室７の後端部下面には、短絡用端子収容室７と端子収容室６との間を仕切る後側仕切壁１４が形成されている。後側仕切壁１４の前方（前側仕切壁３３と後側仕切壁１４との間）には、短絡用端子収容室７と端子収容室６とを連通させる連通部３６が形成されている。
【００２１】
各短絡用端子収容室７は、短絡用端子収容室７の後端側部分を構成する短絡用端子保持室１３を有している。各短絡用端子保持室１３の左右両側面と上面は全領域に亘って閉塞されている。各短絡用端子保持室１３の後端の開口部は、リテーナ嵌合溝１１に嵌め込まれたリテーナ２０によって閉塞されている。後側仕切壁１４は、各短絡用端子保持室１３の下面部を構成している。各短絡用端子保持室１３は、ハウジング本体１０の前端部に形成されており、ハウジング３の前面に開口している。短絡用端子４は、短絡用端子保持室１３に対して前方から嵌め込まれることで、短絡用端子収容室７に設置される。
【００２２】
＜短絡用端子４＞
ところで、従来、短絡用端子保持室１３に短絡用端子４を設置した場合に、短絡用端子４の端子金具２と接触する部分が安定しないという問題があった。例えば、従来の第１短絡用端子９５は、図１１に示すように、基部９５Ａと、折り返し部９５Ｂと、対向部９５Ｃと、接触部９５Ｄとを備えている。短絡用端子保持室１３が形成されているハウジング３は合成樹脂製であるため、短絡用端子保持室１３の高さ寸法（内寸法）は、成型時にばらつきが生じる。そこで、第１短絡用端子９５は、成型時のばらつきに関わらず短絡用端子保持室１３に収まるように、基部９５Ａと対向部９５Ｃとの外面同士の間隔が短絡用端子保持室１３の高さ寸法（内寸法）よりも小さく形成されている（図１１（Ａ）参照）。しかし、短絡用端子保持室１３に収容された第１短絡用端子９５は、短絡用端子保持室１３との間に高さ方向の隙間が生じてしまうので、高さ方向にがたついて、接触部９５Ｄの位置が安定しない（図１１（Ｂ）参照）。
【００２３】
また、図１２に示す従来の第２短絡用端子９６は、基部９６Ａと、折り返し部９６Ｂと、対向部９６Ｃと、接触部９６Ｄとを備えている。この第２短絡用端子９６は、基部９６Ａと対向部９６Ｃとの外面同士の間隔が短絡用端子保持室１３の高さ寸法（内寸法）よりも大きく形成されているので（図１２（Ａ）参照）、短絡用端子保持室１３に撓んだ状態で保持され、がたつきが抑えられる。しかし、短絡用端子保持室１３の成形時のばらつきに応じて、第２短絡用端子９６の撓み量もばらつく。このとき、接触部９６Ｄの位置は、折り返し部４１の上下方向中央部を支点ＰＳ２とし、折り返し部４１における短絡用端子保持室１３との接触部分を作用点ＰＡ２として変動する。このため、接触部９６Ｄの位置も、第２短絡用端子９６の撓み量のばらつきに応じてばらつくという問題が同様に生じていた（図１２（Ｂ）参照）。これに対して、本実施例１の短絡用端子４は、上記課題を以下のようにして解決している。
【００２４】
短絡用端子４は、図２〜７に示すように、一方向に長い金属板を折り曲げ加工等を施すことで左右対称な形状に成形されている。短絡用端子４は、側面視において基部４０、折り返し部４１、対向部４２、張出部４３及び接触部４４を順に連ねた形態の単一部材である。短絡用端子４の左右方向の幅寸法は、短絡用端子保持室１３の左右方向の幅寸法よりも小さく形成されている。
【００２５】
基部４０は、短絡用端子４の上端部に配され、水平方向に沿って延びる平板状をなしている。基部４０は平面視において略方形状をなしている。基部４０の後端縁（側面視の長さ方向における接触部４４側の端縁であり、前後方向においては接触部４４とは反対側の端縁）には、折り返し部４１が連なっている。
【００２６】
折り返し部４１は、基部４０の後端縁から後方に延出しており、側面視において下側に半円を描くように曲がった形状をなしている。正面視において、折り返し部４１の延出方向先端側の領域は、左右二股に分岐している。即ち、折り返し部４１は、分岐していない上端側の未分岐部４１Ａと、未分岐部４１Ａから左右に間隔を空けて延出した下端側の一対の分岐部４１Ｂとを有している。未分岐部４１Ａと分岐部４１Ｂとの境界は、折り返し部４１における上下方向の中央よりも上方に配されている。一対の分岐部４１Ｂの間に形成された隙間の幅寸法は、一定であり、各分岐部４１Ｂの左右方向の幅寸法よりも小さくなっている。
【００２７】
折り返し部４１（一対の分岐部４１Ｂ）の延出端縁（側面視の長さ方向における接触部４４側の端縁）には、一対の対向部４２が連なっている。各対向部４２は平板状をなしている。一対の対向部４２は一対の分岐部４１Ｂの下端縁から前方へ略水平に延出した形態である。一対の対向部４２は、基部４０と略平行をなしている。各対向部４２の左右方向の幅寸法は、前方（接触部４４側）に向けて次第に小さくなっている。一対の対向部４２は、一対の対向部４２の間に形成された隙間の幅寸法が前方（接触部４４側）に向かって次第に広がるような形態に形成されている。一対の対向部４２は、各対向部４２の左右方向の外側の端縁同士の間隔が略一定寸法を保つように（より詳しくは、接触部４４側に向けて僅かに広がるように）形成されている。
【００２８】
一対の対向部４２は、両対向部４２の下面（短絡用端子４の外面）と基部４０の上面（短絡用端子４の外面）との間の上下間隔が、短絡用端子保持室１３の上面と下面（後述する上段面５５）との間の内寸法（高さ寸法）よりも小さくなるように形成されている。各対向部４２の前後方向の長さ寸法は、基部４０の前後方向の長さ寸法よりも小さい。一対の対向部４２の後端縁の位置は、基部４０の後端縁と前後方向に揃っている。一対の対向部４２の前端縁は、基部４０の前端縁の位置もより後方に配されている。
【００２９】
一対の対向部４２の接触部４４側の端縁（前端縁）には、一対の張出部４３が連なっている。各張出部４３は、側面視において段差状の屈曲部を有する形状をなしている。一対の張出部４３は一対の対向部４２の前端縁から前方に向けて延出している。各張出部４３は、夫々、対向部４２と連続する傾斜部４３Ａと、傾斜部４３Ａと接触部４４をつなぐ作用部４３Ｂとを有している。
【００３０】
一対の傾斜部４３Ａは、側面視において、前方に向かって基部４０から遠ざかるように（接触部４４側に向けて端子収容室６側へ突出するように）斜め下方に向かって傾斜している。即ち、傾斜部４３Ａと対向部４２とは鈍角をなして連なっている。各傾斜部４３Ａの左右方向の幅寸法は、接触部４４側に向けて小さくなっている。一対の傾斜部４３Ａは、図７に示すように、一対の傾斜部４３Ａの間に形成された隙間の幅寸法が、接触部４４側に向けて広がるように形成されている。一対の傾斜部４３Ａは、一対の傾斜部４３Ａの左右方向の外側の端縁同士の間隔が略一定の寸法を保つように（より詳しくは、接触部４４側に向けて僅かに広がるように）形成されている。各傾斜部４３Ａの前後方向の長さ寸法は、基部４０の前後方向の長さ寸法よりも小さく、対向部４２の前後方向の長さ寸法よりも小さい。一対の傾斜部４３Ａの前後方向の位置は、基部４０の前後方向中央部とほぼ一致する。
【００３１】
一対の傾斜部４３Ａの接触部４４側の端縁（前端縁）には、一対の作用部４３Ｂが連なっている。一対の作用部４３Ｂは、一対の傾斜部４３Ａの前端縁から前方に向けて延出している。一対の作用部４３Ｂは、対向部４２よりも下方（端子収容室６側）に配されており、基部４０と略平行に延びた形態をなしている。すなわち、一対の作用部４３Ｂ（一対の張出部４３）は、対向部４２に対して下方に張り出した形態をなしている。これにより、一対の作用部４３Ｂ（張出部４３）の下面（短絡用端子４の外面）と基部４０の上面（短絡用端子４の外面）との間の上下寸法が、短絡用端子保持室１３の上面と下面（後述する下段面５７）との間の内寸法（高さ寸法）よりも大きく形成されている。
【００３２】
各作用部４３Ｂの左右方向の幅寸法は一定となっている。一対の作用部４３Ｂの間に形成された隙間の幅寸法は、一定であり、各作用部４３Ｂの左右方向の幅寸法よりも大きくなっている。一対の作用部４３Ｂの左右方向の内側の端縁及び外側の端縁は、前後方向に平行に延びている。一対の作用部４３Ｂの左右方向の外側の端縁の位置は、基部４０の左右両側の端縁と左右方向に略揃っている。一対の作用部４３Ｂの前端縁は、基部４０の前端縁よりも後方に位置する。
【００３３】
一対の作用部４３Ｂの前端縁には、一対の接触部４４が連なっている。一対の接触部４４は、一対の作用部４３Ｂ（張出部４３）の前端縁から前方へ延出されている。各接触部４４は、平面視において前後方向に長い略矩形状をなしており、側面視において下方（端子収容室６側）に向けて張り出すように湾曲した形状をなしている。各接触部４４は左右方向の幅寸法が略一定となっている。一対の接触部４４の間に形成された隙間の幅寸法は、一定であり、各接触部４４の左右方向の幅寸法よりも大きく形成されている。一対の接触部４４の左右方向の内側の端縁及び外側の端縁は、前後方向に平行に延びている。各接触部４４の左右方向の内側の端縁は、各作用部４３Ｂの左右方向の内側の端縁と面一状に形成されている。各接触部４４の左右方向の外側の端縁は、各作用部４３Ｂ（張出部４３）の左右方向の外側の端縁よりも外方に張り出しており、基部４０の左右両側の端縁よりも左右方向外方に張り出している。
【００３４】
各接触部４４の下方への張出部分の頂点（最下点）は、端子金具２の上面に接触する接点部４４Ｐとなっている。接点部４４Ｐは、基部４０の前端縁と前後方向に略揃うように形成されている。すなわち、各接触部４４の後端縁は、基部４０の前端縁よりも後方に位置しており、各接触部４４の前端縁は、基部４０の前端縁よりも前方に位置している。各接触部４４の前端縁は、対向部４２の上面よりも下方に位置しており、作用部４３Ｂの上面よりも上方に位置している。
【００３５】
基部４０の左右両側の縁部には、左右一対の第１嵌合部４６と、第１嵌合部４６より後方に配された左右一対の第２嵌合部４７とが形成されている。一対の第１嵌合部４６は、基部４０の左右両側の端縁から左右方向外方に突出して下方に屈曲した形態をなしている。各第１嵌合部４６の下端部は、前後方向に延設されている。各第１嵌合部４６の下端縁は、上下方向において折り返し部４１の上下方向中央部まで延びている。第１嵌合部４６及び第２嵌合部４７は、一対の接触部４４の左右方向の外側の端縁よりも左右方向外方に突出している。一対の第２嵌合部４７は、基部４０の左右両側の端縁から左右方向外方に突出している。各第２嵌合部４７は、各第１嵌合部４６よりも左右方向外方に突出している。
【００３６】
＜短絡用端子４の取付け＞
短絡用端子４は、図８に示すように、接触部４４が前方へ突出し且つ接点部４４Ｐが下向き（端子収容室６側）に突き出す姿勢で、短絡用端子保持室１３に対し前方から嵌め込まれる。短絡用端子保持室１３の上下両側の前側の開口端縁には、開口側に向けて下るように傾斜したガイド面５０が形成されている。短絡用端子４は、ガイド面５０にガイドされて短絡用端子保持室１３に嵌まり込む。短絡用端子保持室１３の左右両側の内面の第１嵌合溝５３に第１嵌合部４６が嵌まり込み、短絡用端子保持室１３の左右両側の内面の第２嵌合溝５４に第２嵌合部４７が嵌まり込むことで、短絡用端子４は短絡用端子保持室１３内に固定される。
【００３７】
短絡用端子保持室１３の下面（後側仕切壁１４の上面）には、上段面５５と、傾斜面５６と、下段面５７とが形成されている。上段面５５は、短絡用端子保持室１３の下面の後端部に形成されており、略水平方向に延びている。下段面５７は、短絡用端子保持室１３の下面の前端部に形成されており、略水平方向に延びている。下段面５７は、上段面５５よりも下方に配されている。傾斜面５６は、後端縁が上段面５５の前端縁と連なっており、前端縁が下段面５７の後端縁と連なっている。また、傾斜面５６は前方に向かって下るように傾斜している。
【００３８】
図９に示すように、短絡用端子４が短絡用端子保持室１３に嵌め込まれると以下のような状態となる。基部４０の上面は、短絡用端子保持室１３の上面（天井面）に対し面接触する。作用部４３Ｂの後端部下面が、短絡用端子保持室１３の下面（下段面５７）に対し面接触する。ここで、作用部４３Ｂの後端部下面が短絡用端子保持室１３の下面（下段面５７）に対し面接触した状態とは、短絡用端子保持室１３に嵌め込まれた短絡用端子４が、端子金具２の挿入時又は相手側コネクタ（図示省略）との嵌合時に位置ずれを起こさない程に安定している状態をいう。折り返し部４１が曲率半径を小さくするように弾性変形する。この折り返し部４１の弾性復元力により、基部４０の上面が短絡用端子保持室１３の天井面から内向き（下向き）の弾性的な反力を受け、張出部４３（作用部４３Ｂ）が短絡用端子保持室１３の下面（下段面５７）から内向き（上向き）の弾性的な反力を受ける。
【００３９】
短絡用端子４が短絡用端子保持室１３に嵌め込まれた状態では、張出部４３（作用部４３Ｂ）は、短絡用端子保持室１３の開口端縁上（短絡用端子保持室１３の前端部）に接する。折り返し部４１の下端部と対向部４２と傾斜部４３Ａとは短絡用端子保持室１３の下面に（上段面５５、傾斜面５６及び下段面５７のいずれにも）接触せず、短絡用端子保持室１３の下面から浮いた状態となる。作用部４３Ｂの前端部と接触部４４の全領域は、後側仕切壁１４の前端から短絡用端子保持室１３の外部前方へ突出した状態となる。
【００４０】
このように短絡用端子４が短絡用端子保持室１３に嵌め込まれた状態では、接触部４４に対して、折り返し部４１が支点ＰＳ１となり、張出部４３（作用部４３Ｂ）が作用点ＰＡ１となる。これに対し、第２短絡用端子９６（図１２参照）では、接触部９６Ｄに対して、折り返し部４１が支点ＰＳ２及び作用点ＰＡ２となっている。すなわち、短絡用端子４の作用点ＰＡ１は、支点ＰＳ１と接触部４４との間において、第２短絡用端子９６（図１２参照）の作用点ＰＡ２よりも接触部４４側に位置している。作用点ＰＡ１の位置（変位量）は、短絡用端子保持室１３の内寸法のばらつきに応じて変化するので、接触部４４の位置も短絡用端子保持室１３の内寸法のばらつきに応じて変化する。但し、折り返し部９６Ｂを作用点ＰＡ１として接触部９６Ｄの位置が変動する第２短絡用端子９６（図１２参照）と比べると、本実施例１の短絡用端子４は、作用点ＰＡ１（張出部４３）と接触部４４との距離が短いので、短絡用端子保持室１３の内寸法のばらつきに伴う接触部４４の位置のばらつきが小さく抑えられる。
【００４１】
短絡用端子４を短絡用端子保持室１３（短絡用端子収容室７内）に取り付けた後、図１０に示すように、ハウジング本体１０の前端にフロントマスク３０が組み付けられる。この状態では、一対の接触部４４（接点部４４Ｐ）は、連通部３６を通じてそれぞれ対応する端子収容室６に進入する。各端子収容室６に端子金具２が挿入されると、各接触部４４は端子金具２から短絡用端子収容室７側に押されて端子金具２に接触したまま上方へ移動し、端子金具２の外周面に接触した状態が維持される。１つの短絡用端子４の各接触部４４がそれぞれ端子金具２と接触した状態になると、これら２つの端子金具２が短絡用端子４を介して短絡した状態となる。
【００４２】
＜実施例１の作用及び効果＞
以上説明したように、実施例１の短絡用端子４は、基部４０と、接触部４４と、折り返し部４１と、対向部４２と、張出部４３とを備えている。基部４０は平板状をなしている。接触部４４は、一対の端子金具２と接触して一対の端子金具２を短絡させることが可能となっている。折り返し部４１は、基部４０から折り返すように延出している。対向部４２は、折り返し部４１から接触部４４に向けて基部４０と略平行に延設され、基部４０との外面同士の間隔が短絡用端子保持室１３の対向する内面同士の間隔よりも小さくなるように形成されている。張出部４３は、対向部４２から接触部４４まで延設され、基部４０との外面同士の間隔が短絡用端子保持室１３の対向する内面同士の間隔よりも大きくなるように形成されている。
【００４３】
この短絡用端子４は、基部４０と張出部４３が短絡用端子保持室１３内に嵌め込まれた後、撓んだ状態で短絡用端子保持室１３に収容される。短絡用端子保持室１３の内寸法、即ち基部４０に対する張出部４３の対向間隔にばらつきが生じると、折り返し部４１の撓み量にもばらつきが生じるので、折り返し部４１を支点ＰＳ１として接触部４４の位置が変動する。このとき、張出部４３が、接触部４４の位置を変動させる作用点ＰＡ１となり、作用点ＰＡ１（張出部４３）の変位するばらつき量は短絡用端子保持室１３の内寸法のばらつき量と一定の関係となる。張出部４３は、折り返し部４１よりも接触部４４に近い位置に配されている。したがって、折り返し部９６Ｂを作用点ＰＡ２として接触部９６Ｄの位置が変動する第２短絡用端子９６と比べると、短絡用端子４は、作用点ＰＡ１（張出部４３）と接触部４４との距離が短いので、短絡用端子保持室１３の内寸法のばらつきに伴う接触部４４の位置のばらつきが小さく抑えられる。
【００４４】
また、張出部４３は、短絡用端子保持室１３の開口側の端縁に接した状態で、前記短絡用端子保持室１３に収容される。これにより、短絡用端子保持室１３内において、作用点ＰＡ１（張出部４３）が接触部４４と最も近い位置に配されるので、短絡用端子保持室１３の内寸法のばらつきに伴う接触部４４の位置のばらつきをより効果的に抑えることができる。
【００４５】
また、張出部４３は、短絡用端子保持室１３に嵌まり込んだ状態において、短絡用端子保持室１３の内壁面に面接触するようになっている。張出部４３を短絡用端子保持室１３の内壁面と面接触させることで、短絡用端子４の短絡用端子保持室１３における設置位置を安定させることができる。その結果、短絡用端子保持室１３に嵌め込まれた短絡用端子４が、端子金具２の挿入時、あるいは相手側コネクタ（図示省略）の嵌合時に位置ずれを起こすことを抑えることができる。
【００４６】
また、実施例１のコネクタ１は、短絡用端子保持室１３が形成されたハウジング３と、短絡用端子保持室１３に収容される短絡用端子４とを備えている。従って、コネクタ１は、短絡用端子保持室１３に収容される短絡用端子４の接触部４４の設置位置を安定させることができる。
【００４７】
また、短絡用端子保持室１３の内壁面（下面）の開口側の端縁には、開口側に向けて下るように傾斜したガイド面５０が形成されている。従って、ガイド面５０によって短絡用端子４の張出部４３を短絡用端子保持室１３内に誘導することができる。
【００４８】
＜他の実施例＞
本発明は上記記述及び図面によって説明した実施例１に限定されるものではなく、例えば次のような実施例も本発明の技術的範囲に含まれる。
（１）上記実施例１では、短絡用端子が短絡用端子保持室に嵌め込まれた状態において、作用部が短絡用端子保持室の内壁面に面接触するようにした。しかし、作用部は短絡用端子保持室の内壁面に面接触しなくてもよい。例えば、作用部が側面視において内壁面側に向けて鋭角に屈曲した形状をなしており、内壁面と点接触（線接触）するようにしてもよい。
（２）上記実施例１では、短絡用端子収容室（短絡用端子保持室）を端子収容室の上側に配置したが、端子収容室の下側に配置してもよい。
【符号の説明】
【００４９】
１…コネクタ
２…端子金具
３…ハウジング
４…短絡用端子
６…端子収容室
７…短絡用端子収容室
１０…ハウジング本体
１３…短絡用端子保持室
１４…後側仕切壁
２０…リテーナ
３０…フロントマスク
４０…基部
４１…折り返し部
４２…対向部
４３…張出部
４３Ａ…傾斜部
４３Ｂ…作用部
４４…接触部
【図１】
2019169328.tif 000003
【図２】
2019169328.tif 000004
【図３】
2019169328.tif 000005
【図４】
2019169328.tif 000006
【図５】
2019169328.tif 000007
【図６】
2019169328.tif 000008
【図７】
2019169328.tif 000009
【図８】
2019169328.tif 000010
【図９】
2019169328.tif 000011
【図１０】
2019169328.tif 000012
【図１１】
2019169328.tif 000013
【図１２】
2019169328.tif 000014